(57)【要約】【課題】室内機用天井板の振動する範囲（振動領域）を狭くして振動数を向上させることで、空気調和機の室内機の静穏性能を著しく向上させることのできる室内機用天板を提供する。【解決手段】送風機と、熱交換器と、送風機及び熱交換器が収容されて風路を形成する筐体５３とを有する空気調和機の室内機５の筐体５３に設けられる室内機用天板１に関する。本発明を適用した室内機用天板１は、室内の空気を吸気する熱交換器の風路上流側に設けられる天板内側部２と、室内に空気を送気する熱交換器の風路下流側に設けられる天板外側部３とを備える。天板外側部３は、筐体外周５３ａに沿って形成される主要支持辺３１と、上方又は下方に向けて面状に突出して形成される補剛面部３５とを有し、補剛面部３５の２側辺３５ａが主要支持辺３１まで延びて設けられる。【選択図】図３
2018036048.tif 000002
【特許請求の範囲】
【請求項１】
室内の空気を吸気及び送気するための送風機と、送風機の周りを囲むように配置されて冷媒を循環させる熱交換器と、送風機及び熱交換器が収容されて風路を形成する筐体とを有して、吸気口から吸気した室内の空気を、熱交換器によって冷媒との間で熱交換させて、送気口から送気する空気調和機の室内機における、空気調和機の室内機の筐体に設けられる室内機用天板であって、
室内の空気を吸気する熱交換器の風路上流側に設けられる天板内側部と、室内に空気を送気する熱交換器の風路下流側に設けられる天板外側部とを備え、
前記天板外側部は、筐体外周に沿って形成される主要支持辺と、上方又は下方に向けて面状に突出して形成される補剛面部とを有し、前記補剛面部の２側辺が前記主要支持辺まで延びて設けられ、
前記天板外側部は、筐体の中央側となる前記補剛面部の内側の振動領域を狭くするものとして、隣り合う２つの前記主要支持辺により形成される隅部で、前記補剛面部の２側辺が、前記隅部を形成する２つの前記主要支持辺まで延びて設けられること
を特徴とする室内機用天板。
【請求項２】
前記天板内側部は、熱交換器を配置するためのエンボス部が設けられることによって、前記天板外側部との境界が形成されて、
前記天板外側部は、前記エンボス部に前記補剛面部を接しさせることで、又は、前記エンボス部から前記補剛面部を離間させることで、前記天板内側部との境界を前記補剛面部に跨がせることなく、筐体の外周側となる前記エンボス部の外側に、前記補剛面部が設けられること
を特徴とする請求項１記載の室内機用天板。
【請求項３】
前記天板外側部は、隣り合う２つの前記主要支持辺により形成される隅部で、隅切りさせて形成される補助支持辺が設けられること
を特徴とする請求項１又は２記載の室内機用天板。
【請求項４】
前記補剛面部を上方又は下方に向けて突出させた深さｄは、下記（１）式により規定される関係を満足すること
を特徴とする請求項１〜３の何れか１項記載の室内機用天板。
2018036048.tif 000005
ここで、ｄ：前記補剛面部の深さ、ｔ：室内機用天板の板厚とする。
【発明の詳細な説明】
【技術分野】
【０００１】
本発明は、空気調和機の室内機に用いられるもので、熱交換器が収容される室内機の筐体に設けられる室内機用天板に関する。
【背景技術】
【０００２】
従来から、空気調和機の室内機は、室内空気を給排気するための送風機と、室内空気と冷媒との間で熱交換させる熱交換器と、送風機及び熱交換器を覆う筐体とを備える。例えば、特許文献１に開示される空気調和機の室内機は、吸込口より吸気した室内空気を熱交換させてから吹出口より送気することで、空気調和機が設置された室内の温度を調節するものである。
【０００３】
特許文献１に開示された空気調和機の室内機は、送風機の周りを取り囲むように熱交換器が設置されるとともに、筐体の内部で熱交換器の上流側から下流側に室内空気を通過させる風路が形成される。特許文献１に開示された空気調和機の室内機は、筐体の内部の配管収納部分に形成された結露水流入孔まで延びる凹形状の溝が、筐体の天面における熱交換器の下流側風路に対応する部位で、熱交換器に沿って設けられるものである。
【先行技術文献】
【特許文献】
【０００４】
【特許文献１】特開２００７−１７０７６４号公報
【発明の概要】
【発明が解決しようとする課題】
【０００５】
特許文献１に開示された空気調和機の室内機は、筐体の内部の送風機等にモータやファン等の機器が設けられるものであり、これらの機器を作動させることによって筐体の天面における天板が振動するものとなる。このとき、特許文献１に開示された空気調和機の室内機は、天板の振動で周辺の空気が加振されることで、騒音となって居住空間に伝播されるおそれがある。
【０００６】
特許文献１に開示された空気調和機の室内機は、筐体の天面における熱交換器の下流側風路に対応する部位で、熱交換器に沿って凹形状の溝が天板に設けられるものであり、凹形状の溝が筐体の外周まで延びることなく、熱交換器の周囲を取り囲むように形成されるものである。このため、特許文献１に開示された空気調和機の室内機は、熱交換器の周囲を取り囲むように凹形状の溝が形成されるため、凹形状の溝が形成された部位での剛性が小さくなって、筐体の外周側から中央側に向けて曲げ変形しやすいものとなることから、天板の剛性が不十分なものとなるおそれがある。
【０００７】
また、特許文献１に開示された空気調和機の室内機は、凹形状の溝が筐体の外周まで延びることなく形成されて、凹形状の溝と筐体の外周とが離間したものとなることから、機器の作動により天板が振動するときに、天板の全面と凹形状の溝とが筐体の外周の内側で一体となって振動するものとなる。このため、特許文献１に開示された空気調和機の室内機は、筐体の天面において天板の表面積が大きくなることから、天板の全面と凹形状の溝とが一体となって振動して、室内機全体の振動や騒音が過大なものとなることで、空気調和機の室内機の静穏性能を著しく低下させるおそれがあるという問題点があった。
【０００８】
そこで、本発明は、上述した問題点に鑑みて案出されたものであり、その目的とするところは、室内機用天井板の振動する範囲（振動領域）を狭くして振動数を向上させることで、空気調和機の室内機の静穏性能を著しく向上させることのできる室内機用天板を提供することにある。
【課題を解決するための手段】
【０００９】
第１発明に係る室内機用天板は、室内の空気を吸気及び送気するための送風機と、送風機の周りを囲むように配置されて冷媒を循環させる熱交換器と、送風機及び熱交換器が収容されて風路を形成する筐体とを有して、吸気口から吸気した室内の空気を、熱交換器によって冷媒との間で熱交換させて、送気口から送気する空気調和機の室内機における、空気調和機の室内機の筐体に設けられる室内機用天板であって、室内の空気を吸気する熱交換器の風路上流側に設けられる天板内側部と、室内に空気を送気する熱交換器の風路下流側に設けられる天板外側部とを備え、前記天板外側部は、筐体外周に沿って形成される主要支持辺と、上方又は下方に向けて面状に突出して形成される補剛面部とを有し、前記補剛面部の２側辺が前記主要支持辺まで延びて設けられ、前記天板外側部は、筐体の中央側となる前記補剛面部の内側の振動領域を狭くするものとして、隣り合う２つの前記主要支持辺により形成される隅部で、前記補剛面部の２側辺が、前記隅部を形成する２つの前記主要支持辺まで延びて設けられることを特徴とする。
【００１０】
第２発明に係る室内機用天板は、第１発明において、前記天板内側部は、熱交換器を配置するためのエンボス部が設けられることによって、前記天板外側部との境界が形成されて、前記天板外側部は、前記エンボス部に前記補剛面部を接しさせることで、又は、前記エンボス部から前記補剛面部を離間させることで、前記天板内側部との境界を前記補剛面部に跨がせることなく、筐体の外周側となる前記エンボス部の外側に、前記補剛面部が設けられることを特徴とする。
【００１１】
第３発明に係る室内機用天板は、第１発明又は第２発明において、前記天板外側部は、隣り合う２つの前記主要支持辺により形成される隅部で、隅切りさせて形成される補助支持辺が設けられることを特徴とする。
【００１２】
第４発明に係る室内機用天板は、第１発明〜第３発明の何れかにおいて、前記補剛面部を上方又は下方に向けて突出させた深さｄは、下記（１）式により規定される関係を満足することを特徴とする。ここで、ｄ：前記補剛面部の深さ、ｔ：室内機用天板の板厚とする。
【００１３】
【数１】
2018036048.tif 000003
【発明の効果】
【００１４】
第１発明〜第４発明によれば、天板外側部で補剛面部の２側辺が主要支持辺まで延びて設けられて、補剛面部の内側に狭い振動領域が形成されることで、室内機用天板が振動するスパンを短くした振動性状によって、室内機用天板の振動数を向上させることができる。また、第１発明〜第４発明によれば、天板の剛性を高めるために設置した補剛面部が、補剛面部の２側辺の中間部分において、構造性能以外の制約により、補剛面部の拘束状態を維持するために必要な連続性が確保されるものとなるため、室内機用天板の剛性を高めて、室内機用天板の振動数を向上させることができる。これにより、第１発明〜第４発明によれば、室内機用天板の振動数を向上させて振動騒音等を低減させたものとすることで、空気調和機の室内機の静穏性能を著しく向上させることが可能となる。
【００１５】
特に、第４発明によれば、例えば、振動数の相対値αが１．１０程度となるときに、鋼板等の板厚ｔを０．８ｍｍから０．７ｍｍ程度に薄くしても、補剛面部が設けられない場合の振動数と同等の振動数を得ることができることから、１３％程度の材料を節約して材料コストを低減させることが可能となる。また、第４発明によれば、鋼板等の板厚ｔを増大させることなく、補剛面部が設けられない場合の振動数より大きい振動数を得ることができることから、鋼板等に使用される材料を増大させずに、室内機用天板の振動数を向上させて振動騒音等を低減させることが可能となる。
【図面の簡単な説明】
【００１６】
【図１】本発明を適用した室内機用天板が設けられる室内機を示す斜視図である。
【図２】本発明を適用した室内機用天板が設けられる室内機を示す側方断面図である。
【図３】本発明を適用した室内機用天板を示す斜視図である。
【図４】（ａ）は、本発明を適用した室内機用天板を示す平面図であり、（ｂ）は、その補助支持辺が設けられた隅部を示す平面図である。
【図５】（ａ）は、本発明を適用した室内機用天板の延長を異ならせた複数のリブを示す平面図であり、（ｂ）は、その湾曲させたリブを示す平面図である。
【図６】（ａ）は、本発明を適用した室内機用天板のエンボス部に接しさせたリブを示す拡大平面図であり、（ｂ）は、そのＡ−Ａ線端面図である。
【図７】（ａ）は、本発明を適用した室内機用天板のエンボス部から離間させたリブを示す拡大平面図であり、（ｂ）は、そのＢ−Ｂ線端面図である。
【図８】（ａ）は、本発明を適用した室内機用天板の略面状に形成された補剛面部を示す拡大平面図であり、（ｂ）は、そのＣ−Ｃ線端面図である。
【図９】（ａ）は、本発明を適用した室内機用天板のリブの内側の振動領域を示す平面図であり、（ｂ）は、従来の天板の振動領域を示す平面図である。
【図１０】（ａ）は、本発明を適用した室内機用天板に作用する外力を示す平面図であり、（ｂ）は、従来の天板に作用する外力を示す平面図である。
【図１１】（ａ）は、本発明を適用した室内機用天板の補剛面部の内側の振動領域を示す平面図であり、（ｂ）は、これに作用する外力を示す平面図である。
【図１２】本発明を適用した室内機用天板にリブ又は補剛面部が設けられることによる振動数の相対値と、リブ又は補剛面部の深さ及び鋼板の板厚の比率との関係を示すグラフである。
【発明を実施するための形態】
【００１７】
以下、本発明を適用した室内機用天板１を実施するための形態について、図面を参照しながら詳細に説明する。
【００１８】
本発明を適用した室内機用天板１は、図１に示すように、室内の温度や湿度を調節するために、天井内部７等に嵌め込まれる空気調和機の室内機５に用いられるものである。
【００１９】
空気調和機の室内機５は、図２に示すように、室内の空気を吸気及び送気するためのファン等の送風機５１と、冷媒等を循環させる熱交換器５２と、送風機５１や熱交換器５２等が筐体内部５０に収容される筐体５３とを備える。熱交換器５２は、筐体５３の側板５６から横方向Ｘに所定の間隔で離間させて、送風機５１の周りの一部又は全部を囲むように配置される。
【００２０】
空気調和機の室内機５は、室内の空気を吸気口５４から吸気して、吸気した空気を熱交換器５２に通過させて熱交換させてから、熱交換させた空気を送気口５５から室内に送気するものである。空気調和機の室内機５は、吸気口５４から送気口５５まで空気を通過させる風路６が筐体内部５０に形成されて、熱交換器５２を境界とした筐体５３の中央側が風路上流側６ａとなるとともに、熱交換器５２を境界とした筐体５３の外周側が風路下流側６ｂとなる。
【００２１】
本発明を適用した室内機用天板１は、熱交換器５２等が収容される筐体５３の上部等に鋼板等が取り付けられて、筐体５３の天面等を鋼板等で塞ぐことによって、筐体内部５０に閉空間を形成して設けられる。本発明を適用した室内機用天板１は、筐体５３の中央側で室内の空気が吸気される風路上流側６ａに設けられる天板内側部２と、筐体５３の外周側で室内に空気が送気される風路下流側６ｂに設けられる天板外側部３とを備える。
【００２２】
本発明を適用した室内機用天板１は、熱交換器５２が設けられる位置に沿って、天板内側部２と天板外側部３との境界に、鋼板等を屈曲させて上方に向けて突出させたエンボス部２０が形成される。本発明を適用した室内機用天板１は、筐体内部５０で熱交換器５２をエンボス部２０に嵌め込んで、熱交換器５２の上端と筐体５３の天面との間に隙間を生じさせないものとして、熱交換させた空気を風路下流側６ｂから風路上流側６ａに逆流させないものとなる。
【００２３】
天板内側部２は、熱交換器５２を配置するためのエンボス部２０が上方に向けて突出させて設けられることによって、天板外側部３との境界が形成されるものとなる。天板内側部２は、図３に示すように、筐体５３の中央側となるエンボス部２０の内側の領域で、鋼板等が略平板状に形成される。天板内側部２は、これに限らず、エンボス部２０の内側となる領域で、鋼板等を部分的に縦方向Ｙに突出させて、凹部又は凸部が形成されてもよい。
【００２４】
天板外側部３は、複数の側板５６を組み合わせた筐体外周５３ａに沿って形成される複数の主要支持辺３１と、鋼板等を屈曲させて縦方向Ｙに突出して形成されるリブ３０とを備える。天板外側部３は、下方に向けて突出させてリブ３０が形成されてもよく、また、上方に向けて突出させてリブ３０が形成されてもよい。このとき、天板外側部３は、複数のリブ３０が形成されて、各々のリブ３０の両端部３０ａが主要支持辺３１まで延びて設けられるものとなる。
【００２５】
天板外側部３は、筐体外周５３ａが略矩形状に形成される場合に、図４（ａ）に示すように、４箇所の主要支持辺３１で略矩形状に形成されるものとなる。このとき、天板外側部３は、隣り合う２つの主要支持辺３１により形成される隅部３３で、隣り合う主要支持辺３１の交差部３３ａが、リブ３０よりも外周側となるリブ３０の外側に配置されたものとなるようにして、リブ３０の両端部３０ａが隣り合う２つの主要支持辺３１まで延びて設けられる。
【００２６】
天板外側部３は、隣り合う主要支持辺３１の交差部３３ａを隅切りさせた形状とすることによって、図４（ｂ）に示すように、隣り合う２つの主要支持辺３１により形成される隅部３３で、隅切りさせて形成される補助支持辺３２が設けられてもよい。このとき、天板外側部３は、補助支持辺３２がリブ３０の外側に配置されたものとなるように、リブ３０の両端部３０ａが隣り合う２つの主要支持辺３１まで延びて設けられる。補助支持辺３２は、各々の隅部３３で略一直線状に形成されるものであるが、これに限らず、複数の直線を連続させて略多角状に形成されてもよく、また、湾曲させて形成されてもよい。
【００２７】
天板外側部３は、図４に示すように、４箇所の主要支持辺３１によって形成された４箇所の隅部３３で、４箇のリブ３０が略同一延長で主要支持辺３１まで略直線状に延びて設けられる。天板外側部３は、これに限らず、４箇所の隅部３３のうち一部の隅部３３においてのみリブ３０が設けられてもよく、また、図５（ａ）に示すように、複数のリブ３０が互いに横方向Ｘの延長を異ならせるものであってもよい。さらに、天板外側部３は、図５（ｂ）に示すように、複数のリブ３０のうち少なくとも一部を湾曲させるものであってもよい。
【００２８】
天板外側部３は、図６に示すように、上方に向けて突出したエンボス部２０から連続させて、下方に向けて突出したリブ３０が形成されて、エンボス部２０にリブ３０を接しさせるものとなる。天板外側部３は、これに限らず、図７に示すように、エンボス部２０からリブ３０を離間させてもよい。このとき、天板外側部３は、天板内側部２との境界をリブ３０に跨がせることなく、筐体５３の外周側となるエンボス部２０の外側に、鋼板等を縦方向Ｙに屈曲させてリブ３０が設けられるものとなる。天板外側部３は、図６、図７に示すように、横方向Ｘで所定の幅ｗとなるように、縦方向Ｙに突出させた略直線状のリブ３０が隅部３３に形成される。
【００２９】
天板外側部３は、図８に示すように、筐体外周５３ａに沿って形成される複数の主要支持辺３１と、鋼板等を屈曲させて上方又は下方に向けて略面状に突出して形成される補剛面部３５とを備えるものとされてもよい。このとき、天板外側部３は、隣り合う２つの主要支持辺３１により形成される各々の隅部３３において、交差部３３ａを包摂するように、補剛面部３５が形成されて、各々の補剛面部３５の２側辺３５ａが主要支持辺３１まで延びて設けられるものとなる。なお、補剛面部３５は、エンボス部２０に接しさせて設けられるものであるが、これに限らず、エンボス部２０から離間させて設けられてもよい。
【００３０】
リブ３０又は補剛面部３５は、図６（ｂ）、図７（ｂ）、図８（ｂ）に示すように、リブ３０又は補剛面部３５を上方又は下方に向けて突出させた深さｄが、本発明を適用した室内機用天板１の鋼板等の板厚ｔとの関係で、下記（１）式により規定される関係を満足する。ここで、ｄ：リブ３０又は補剛面部３５の深さ（ｍｍ）、ｔ：室内機用天板１の板厚（ｍｍ）とする。
【００３１】
【数２】
2018036048.tif 000004
【００３２】
リブ３０又は補剛面部３５は、リブ３０又は補剛面部３５の深さｄと室内機用天板１の板厚ｔとの比率が、上記（１）式により規定される関係を満足するものとして、さらに、リブ３０又は補剛面部３５の深さｄを室内機用天板１の板厚ｔの８倍程度とすることが望ましい。このとき、リブ３０又は補剛面部３５は、例えば、本発明を適用した室内機用天板１の鋼板等の板厚ｔが０．８ｍｍの場合において、リブ３０又は補剛面部３５の深さｄを３ｍｍ以上、８ｍｍ以下として、さらに、リブ３０又は補剛面部３５の深さｄを６．４ｍｍ程度とすることが望ましい。
【００３３】
本発明を適用した室内機用天板１は、図２に示すように、空気調和機を運転させたときに、筐体内部５０の送風機５１等に設けられたモータやファン等の機器が作動等することで、筐体５３の天面で振動する。筐体５３の天面における振動は、主として、室内機用天板１の鋼板等の剛性に伴って増減する１次固有振動数等の小さい振動数によって振動騒音等の原因となる。
【００３４】
天板外側部３は、図９（ａ）に示すように、リブ３０が形成される場合に、リブ３０の両端部３０ａが主要支持辺３１まで延びて設けられる。また、天板外側部３は、図１１（ａ）に示すように、補剛面部３５が形成される場合に、補剛面部３５の２側辺３５ａが主要支持辺３１まで延びて設けられる。天板外側部３は、リブ３０の両端部３０ａ又は補剛面部３５の２側辺３５ａが隅部３３において主要支持辺３１に拘束されて、筐体５３の外周側となるリブ３０又は補剛面部３５の外側で、室内機用天板１の振動を著しく低減させたものとなる。このとき、天板外側部３は、筐体５３の中央側となるリブ３０又は補剛面部３５の内側に、室内機用天板１が振動するときの振動領域Ｖ１が形成されるものとなる。
【００３５】
これに対して、従来の天板９は、図９（ｂ）に示すように、凹形状の溝９０が周囲の支持辺９１まで延びることなく形成されて、凹形状の溝９０と周囲の支持辺９１とが離間したものとなる。このとき、従来の天板９は、凹形状の溝９０が周囲の支持辺９１に拘束されないため、天板９の全面と凹形状の溝９０とが一体となって振動するものとなることから、周囲の支持辺９１よりも内側で、天板９の全面に振動領域Ｖ２が形成されるものとなる。
【００３６】
天板外側部３は、図９（ａ）、図１１（ａ）に示すように、リブ３０又は補剛面部３５の内側に振動領域Ｖ１が形成されることから、天板９の全面に振動領域Ｖ２が形成されるものと比較して、リブ３０又は補剛面部３５の内側の振動領域Ｖ１を狭くするものとして、リブ３０の両端部３０ａ又は補剛面部３５の２側辺３５ａが、隣り合う２つの主要支持辺３１まで延びて設けられるものとなる。
【００３７】
このとき、本発明を適用した室内機用天板１は、天板外側部３でリブ３０の両端部３０ａ又は補剛面部３５の２側辺３５ａが主要支持辺３１まで延びて設けられて、リブ３０又は補剛面部３５の内側に狭い振動領域Ｖ１が形成されることで、室内機用天板１が振動するスパンを短くした振動性状によって、室内機用天板１の振動数を向上させることができる。これにより、本発明を適用した室内機用天板１は、振動数を向上させて振動騒音等を低減させたものとすることで、空気調和機の室内機５の静穏性能を著しく向上させることが可能となる。
【００３８】
本発明を適用した室内機用天板１は、図１０（ａ）に示すように、リブ３０が形成される場合に、天板外側部３の隅部３３に形成された複数のリブ３０が互いに離間して設けられる。このとき、本発明を適用した室内機用天板１は、天板外側部３の隣り合う隅部３３と隅部３３との間にリブ３０を架設させないものとなるため、各々のリブ３０の両端部３０ａが各々の隅部３３で主要支持辺３１に拘束されて、各々のリブ３０の拘束状態を維持するために必要なリブ３０の連続性が確保されるものとなる。
【００３９】
また、本発明を適用した室内機用天板１は、図１１（ｂ）に示すように、補剛面部３５が形成される場合にも、天板外側部３の隅部３３に形成された複数の補剛面部３５が互いに離間して設けられる。このとき、本発明を適用した室内機用天板１は、天板外側部３の隣り合う隅部３３と隅部３３との間に補剛面部３５を架設させないものとなるため、各々の補剛面部３５の２側辺３５ａが各々の隅部３３で主要支持辺３１に拘束されて、各々の補剛面部３５の拘束状態を維持するために必要な補剛面部３５の連続性が確保されるものとなる。
【００４０】
これに対して、従来の天板９は、図１０（ｂ）に示すように、凹形状の溝９０が周囲の支持辺９１まで延びることなく形成されて、凹形状の溝９０が周囲の支持辺９１に沿って連続して設けられる。このとき、従来の天板９は、隣り合う隅部と隅部との間で凹形状の溝９０が架設されたものとなるため、凹形状の溝９０が形成された部位での剛性が小さくなって、外力Ｐによって筐体の外周側から中央側に向けて曲げ変形しやすいものとなることから、従来の天板９の剛性が不十分なものとなるおそれがある。
【００４１】
本発明を適用した室内機用天板１は、図１０（ａ）、図１１（ｂ）に示すように、リブ３０の両端部３０ａ又は補剛面部３５の２側辺３５ａの中間部分において、構造性能以外の制約により、リブ３０又は補剛面部３５の拘束状態を維持するために必要な連続性が確保されるものとなるため、室内機用天板１の剛性を高めて、振動数を向上させることができる。これにより、本発明を適用した室内機用天板１は、振動数を向上させて振動騒音等を低減させたものとなることで、空気調和機の室内機５の静穏性能を著しく向上させることが可能となる。
【００４２】
ここで、１次固有振動数等の小さい振動数は、鋼板等の板厚ｔを増大させることにより向上させることができるものの、鋼板等の板厚ｔを増大させると、空気調和機の全体の重量や設置スペースが大きくなるとともに使用材料も多くなるため、施工コストや材料コストが増大することになる。
【００４３】
本発明を適用した室内機用天板１は、上記（１）式により規定される関係を満足して、リブ３０又は補剛面部３５の深さｄが室内機用天板１の板厚ｔの３．７５倍以上となるように設定される。このとき、本発明を適用した室内機用天板１は、図１２に示すように、リブ３０又は補剛面部３５が設けられない場合の振動数で、リブ３０又は補剛面部３５が設けられる場合の振動数を除したときの振動数の相対値αが、約１．０９を超えるものとなる。
【００４４】
なお、図１２は、以下の数値解析検討に基づいて導出されたものである。解析対象は、板厚ｔが０．８ｍｍ、平面方向で幅６００ｍｍ、長さ１４００ｍｍの略矩形状の室内機用天板１であり、隣り合う２つの主要支持辺３１まで延びたリブ３０を有するものである。リブ３０は、平面方向で幅４０ｍｍ、長さ３５０ｍｍであり、隣り合う２つの主要支持辺３１とのなす角度がともに４５度となる。この数値解析は、主要支持辺３１の位置で室内機用天板１の水平方向及び鉛直方向の変位が固定された状態で、リブ３０の凹凸の深さｄを、室内機用天板１の板厚ｔとの比率で、０〜２０倍程度の範囲で変化させて、有限要素解析モデルを複数種類作成するものである。これらの有限要素解析モデルが用いられた振動固有値解析の結果は、リブ３０の深さｄがゼロの場合に対する、所定の深さｄのリブ３０を設けた場合の１次固有振動数の比率（振動数の相対値α）を縦軸とするとともに、室内機用天板１の板厚ｔに対する、所定の深さｄのリブ３０を設けた場合の凹凸の深さｄの比率（リブ３０の深さ／室内機用天板１の板厚）を横軸として、図１２に示すように、プロットされるものとなる。
【００４５】
本発明を適用した室内機用天板１は、例えば、振動数の相対値αが１．１０程度となるときに、鋼板等の板厚ｔを０．８ｍｍから０．７ｍｍ程度に薄くしても、リブ３０又は補剛面部３５が設けられない場合の振動数と同等の振動数を得ることができることから、１３％程度の材料を節約して材料コストを低減させることが可能となる。また、本発明を適用した室内機用天板１は、鋼板等の板厚ｔを増大させることなく、リブ３０又は補剛面部３５が設けられない場合の振動数より大きい振動数を得ることができることから、鋼板等に使用される材料を増大させずに鋼板等の振動数を向上させて振動騒音等を低減させることが可能となる。
【００４６】
本発明を適用した室内機用天板１は、上記（１）式により規定される関係を満足して、リブ３０又は補剛面部３５の深さｄが室内機用天板１の板厚ｔの１０倍以下となるように設定されることで、図２に示すように、筐体内部５０にリブ３０又は補剛面部３５を大きく突出させないものとして、筐体内部５０の機器等とリブ３０又は補剛面部３５とが干渉することを回避することが可能となる。
【００４７】
本発明を適用した室内機用天板１は、送風機５１や熱交換器５２等の機器が筐体内部５０に集中して配置される風路上流側６ａで、筐体内部５０に突出させたリブ３０又は補剛面部３５が天板内側部２に形成されないものとすることもできる。このとき、本発明を適用した室内機用天板１は、天板外側部３にリブ３０又は補剛面部３５を形成して鋼板等の振動数を向上させながら、筐体内部５０の機器等とリブ３０又は補剛面部３５とが干渉することを回避することが可能となる。
【００４８】
本発明を適用した室内機用天板１は、天板外側部３と天板内側部２との境界で、エンボス部２０をリブ３０又は補剛面部３５に跨がせることなく、エンボス部２０の外側にリブ３０又は補剛面部３５が設けられるものである。これにより、本発明を適用した室内機用天板１は、例えば、リブ３０又は補剛面部３５を上方に向けて突出して形成させた場合であっても、熱交換させた空気がリブ３０又は補剛面部３５を通過して風路下流側６ｂから風路上流側６ａに逆流することを防止して、室内の温度や湿度を調節するときの空調効率が低下することを防止することが可能となる。
【００４９】
本発明を適用した室内機用天板１は、リブ３０又は補剛面部３５を下方に向けて突出して形成させた場合に、天板外側部３と天板内側部２との境界をリブ３０又は補剛面部３５に跨がせないものとすることで、エンボス部２０に熱交換器５２を全長に亘って配置することができる。本発明を適用した室内機用天板１は、図６、図８に示すように、エンボス部２０にリブ３０又は補剛面部３５を接しさせたものとすることで、エンボス部２０に熱交換器５２を全長に亘って配置することができるものとしながら、図９、図１１に示すように、室内機用天板１が振動するときの振動領域Ｖ１を可能な限り狭くすることが可能となる。
【００５０】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００５１】
本発明を適用した室内機用天板１は、筐体５３を略長方形又は略正方形に形成することで、筐体外周５３ａに合わせて略長方形又は略正方形に形成されるものとなる。本発明を適用した室内機用天板１は、これに限らず、例えば、筐体５３を略円形又は略楕円形等に形成した場合に、筐体外周５３ａに合わせて略円形又は略楕円形等に形成され円弧状等の主要支持辺３１が天板外側部３に形成されるものとなる。
【符号の説明】
【００５２】
１      ：室内機用天板
２      ：天板内側部
２０    ：エンボス部
３      ：天板外側部
３０    ：リブ
３０ａ  ：両端部
３１    ：主要支持辺
３２    ：補助支持辺
３３    ：隅部
３３ａ  ：交差部
３５    ：補剛面部
３５ａ  ：２側辺
５      ：室内機
５０    ：筐体内部
５１    ：送風機
５２    ：熱交換器
５３    ：筐体
５３ａ  ：筐体外周
５４    ：吸気口
５５    ：送気口
５６    ：側板
６      ：風路
６ａ    ：風路上流側
６ｂ    ：風路下流側
７      ：天井内部
Ｘ      ：横方向
Ｙ      ：縦方向
【図１】
2018036048.tif 000006
【図２】
2018036048.tif 000007
【図３】
2018036048.tif 000008
【図４】
2018036048.tif 000009
【図５】
2018036048.tif 000010
【図６】
2018036048.tif 000011
【図７】
2018036048.tif 000012
【図８】
2018036048.tif 000013
【図９】
2018036048.tif 000014
【図１０】
2018036048.tif 000015
【図１１】
2018036048.tif 000016
【図１２】
2018036048.tif 000017